(57)【特許請求の範囲】
【請求項１】
ロアレールに対してスライド可能に支持されるアッパレールのスライド前位置を記憶するメモリ状態と、該記憶を行わない通常スライド状態を選択可能なスライドメモリ機構を備えたスライドシート装置において、
上記通常スライド状態で上記アッパレールと一体にスライド方向に移動し、上記メモリ状態でスライド方向での位置が固定されるスライドピースと；
アッパレールに支持され、スライド方向において上記スライドピースの移動規制部の延長上に位置する当接部を有し、上記メモリ状態で該移動規制部に当接部を当接させることでシートスライド方向の移動が規制されるスライドストッパと；
上記スライドピースの移動規制部による移動規制を受けず、かつ上記メモリ状態で上記スライドストッパの当接部とスライドピースの移動規制部の間のスライド方向位置に位置するようにアッパレールに支持され、アッパレールのスライドに伴って該移動規制部と当接部の間に位置する異物に当接して押し出す異物排除部と；
を有することを特徴とするスライドシート装置。
【請求項２】
請求項１記載のスライドシート装置において、上記異物排除部は、上記アッパレールに支持されるベルトアンカーブラケットに設けられているスライドシート装置。
【請求項３】
請求項１記載のスライドシート装置において、上記スライドストッパは、アッパレールへの固定部から側方に向けて延出した側方延出部を有し、該側方延出部の先端部が上記当接部を構成し、上記異物排除部は、該先端部よりも固定部側の側方延出部上に設けられているスライドシート装置。
【発明の詳細な説明】
【技術分野】
【０００１】
本発明は、スライドメモリ機能を備えたスライドシート装置に関する。
【背景技術】
【０００２】
スライドシート装置において、床面側のロアレールに対するアッパレール（シート座部）のスライド位置を記憶させるスライドメモリ機構を備えたタイプがある。スライドメモリ機構は、車両用シートで後部座席への出入りに際して前席のシートバックを前傾させた上で前方へスライドさせる、いわゆるウォークイン動作時などに用いられる。
【先行技術文献】
【特許文献】
【０００３】
【特許文献１】特許第４２６０５７０号
【発明の概要】
【発明が解決しようとする課題】
【０００４】
スライドメモリ機構は、ロアレールやアッパレールと略平行に延設したメモリラックに対して係脱可能なスライドピースを備え、メモリ機能を用いない通常のシートスライド時には、スライドピースをアッパレール（シート座部）と共に前後移動させ、メモリ機能を用いるときには、メモリラック上にスライドピースを係合固定させたままアッパレールを前後移動させるのが一般的な構造である。シートがスライドメモリ位置に戻ると、アッパレール側に支持されるスライドストッパがスライドピースに当接してシートの移動が規制される。
【０００５】
このようなスライドメモリ機構で内部に異物が入り込んだ場合、スライドストッパとスライドピースの間に異物が挟み込まれ、正しいスライドメモリ位置までシートを移動させることができなくなるおそれがあった。そこで本発明は、異物による移動制限を受けずに確実に機能するスライドメモリ機構を備えたスライドシート装置を提供することを目的とする。
【課題を解決するための手段】
【０００６】
本発明は、ロアレールに対してスライド可能に支持されるアッパレールのスライド前位置を記憶するメモリ状態と、該記憶を行わない通常スライド状態を選択可能なスライドメモリ機構を備えたスライドシート装置において、通常スライド状態でアッパレールと一体にスライド方向に移動し、メモリ状態でスライド方向での位置が固定されるスライドピースと；アッパレールに支持され、スライド方向においてスライドピースの移動規制部の延長上に位置する当接部を有し、メモリ状態で該移動規制部に当接部を当接させることでシートスライド方向の移動が規制されるスライドストッパと；スライドピースの移動規制部による移動規制を受けず、かつメモリ状態でスライドストッパの当接部とスライドピースの移動規制部の間のスライド方向位置に位置するようにアッパレールに支持され、アッパレールのスライドに伴って該移動規制部と当接部の間に位置する異物に当接して押し出す異物排除部と；を有することを特徴としている。
【０００７】
異物排除部は、アッパレールに支持されるベルトアンカーブラケットに設けることができる。
【０００８】
また、スライドストッパが、アッパレールへの固定部から側方に向けて延出した側方延出部を有し、該側方延出部の先端部がスライドピースの移動規制部への当接部を構成し、該先端部よりも固定部側の側方延出部上に異物排除部を設ける態様とすることも可能である。
【発明の効果】
【０００９】
以上の本発明によれば、異物を挟み込むことなく、確実に機能するスライドメモリ機構を備えたスライドシート装置を得ることができる。
【図面の簡単な説明】
【００１０】
【図１】車両用シートの通常着座状態と前方へのスライド状態を示す側面図である。
【図２】同シートのウォークイン動作状態を示す側面図である。
【図３】スライドシート装置の要部の分解斜視図である。
【図４】スライドシート装置の側面図である。
【図５】通常着座状態におけるスライドシート装置の要部を示す側面図である。
【図６】通常スライド状態におけるスライドシート装置の要部の側面図である。
【図７】ウォークイン操作を行った直後のスライドシート装置の要部の側面図である。
【図８】メモリユニットを残してシートを前方にスライドさせたウォークイン状態のスライドシート装置の要部を示す側面図である。
【図９】ウォークイン状態からスライドメモリ位置までシートを後退させたときのスライドシート装置の要部の側面図である。
【図１０】図９のスライドメモリ位置への復帰状態でのスライドピース付近を示す断面図である。
【図１１】第１の実施形態における異物排除部の作用を示す断面図である。
【図１２】第１の実施形態における異物排除部の作用を示す断面図である。
【図１３】第１の実施形態における異物排除部の作用を示す断面図である。
【図１４】異物排除部の第２の実施形態を示す、スライドストッパの斜視図である。
【図１５】第２の実施形態における異物排除部の作用を示す断面図である。
【図１６】第２の実施形態における異物排除部の作用を示す断面図である。
【図１７】異物排除部の第３の実施形態を示す、スライドストッパの斜視図である。
【図１８】第３の実施形態における異物排除部の作用を示す断面図である。
【図１９】第３の実施形態における異物排除部の作用を示す断面図である。
【図２０】比較例として、異物排除部を備えないスライドシート装置での異物挟み込み状態を示す断面図である。
【発明を実施するための形態】
【００１１】
図１及び図２に示す車両の前席のシート（助手席または運転席）１１は、着座者の尻部を支えるシートクッション１２と、着座者の背部を支えるシートバック１３とを有しており、シートックッション１２の内部とシートバック１３の内部にはそれぞれ、ともに金属製のシートクッションフレーム１４（図４参照）とシートバックフレーム（図示略）が左右一対として埋設されており、左右のシートクッションフレーム１４同士とシートバックフレーム同士は、左右方向を向く金属製の連結部材（図示略）により連結されている。さらに、左右方向を向く回転軸１１ｘにより、左右のシートクッションフレーム１４の後端部とシートバックフレームの下端部同士がそれぞれ回転自在に枢着されている。
【００１２】
シートバック１３（シートバックフレーム）は、図１に示す初期起立位置（起立位置）と図２に示す前傾位置の間を回動自在であり、図示を省略した付勢手段により、常時、前傾位置に向けて回動付勢されている。シート１１内にはロック状態とアンロック状態とに切り替わり、常時はロック状態にある角度保持機構（図示略）が設けられている。シートバック１３が初期起立位置（起立位置）にあるときに、角度保持機構をロック状態のままにすると、シートバック１３はこの状態に保持され、角度保持機構をアンロック状態にすると、シートバック１３は前傾位置側に回動可能となる。さらに、シート１１は角度保持機構に連係されたリクライニングハンドル（図示略）を備えており、このリクライニングハンドルを操作することにより、角度保持機構をロック状態とアンロック状態とに切り替えることができる。
【００１３】
リクライニングハンドルは、図示を省略した付勢手段により常時ロック状態となるように付勢されており、着座者がリクライニングハンドルをアンロック状態となるように操作すると、角度保持機構はアンロック状態になり、上記付勢手段によりシートバック１３は前傾位置に移動しようとする。また、角度保持機構をアンロック状態にすることによりシートバックをリクライニング操作することが可能である。即ち、角度保持機構がアンロック状態にあるときに、着座者が背中でシートバック１３を後方に押圧すると、シートバック１３は図１に示す初期起立位置から後方に向かって移動する。そして、シートバックが着座者の所望の起立位置に達した時に、着座者がリクライニングハンドルから手を離すと、リクライニングハンドルはロック状態に復帰して角度保持機構がロック状態になるので、シートバック１３はその位置に保持される。
【００１４】
左右のシートクッションフレーム１４は、左右一対のアッパレール１５にそれぞれ固定されている。左右のアッパレール１５は、車体のフロアパネル（床面）１０に固定された左右一対のロアレール１６にそれぞれ支持されており、ロアレール１６の長手方向（前後方向）に沿って摺動自在となっている。そして、アッパレール１５をロアレール１６に対して摺動させることにより、シート１１の前後方向位置を変化させることができる。
【００１５】
ロアレール１６にはその長手方向に沿って複数のスライドロック孔１６ａ（図４に一部を示す）が形成されている。アッパレール１５側には、ロックプレートブラケット２３（図３）を介して、スライドロックプレート１７（図３）が、回動軸１７ｘによって枢着されている。スライドロックプレート１７は、スライドロック孔１６ａに係合可能なロック爪１７ａと、該ロック爪１７ａの上方に位置する被押圧アーム１７ｂを有する。回動軸１７ｘの軸線はアッパレール１５やロアレール１６の長手方向と平行であり、該回動軸１７ｘを中心としてスライドロックプレート１７は、ロック爪１７ａをスライドロック孔１６ａに係合させるロック位置と、離脱させるアンロック位置とに回動可能である。スライドロックプレート１７がロック位置にあるとき、ロアレール１６に対するアッパレール１５の摺動が規制される。スライドロックプレート１７は不図示のロック付勢ばねによってロック位置方向へ回動付勢されている。被押圧アーム１７ｂは、アッパレール１５に形成した角孔１５ａに挿入されて該アッパレール１５の反対側の側面方向に突出している。
【００１６】
アッパレール１５には、スライドロックプレート１７の回動軸１７ｘと直交する（すなわち、軸線がシート左右方向に向く）回動軸１８ｘを介してループブラケット１８が枢着されており、該ループブラケット１８の一端部に設けた押圧部１８ａは、ロックオープンブラケット１９の被押圧部１９ａに当接している。ロックオープンブラケット１９はループブラケット１８と同軸で相対回転可能であり、その回動中心である回動軸１８ｘの反対側の端部には押圧部１９ｂが設けられている。押圧部１９ｂは、アッパレール１５の角孔１５ａに挿入されてスライドロックプレート１７の被押圧アーム１７ｂの上側に位置している。ループブラケット１８に設けられたループハンドル１８ｂを介してループブラケット１８を図５の時計方向に回動させると、押圧部１８ａが被押圧部１９ａを押圧してロックオープンブラケット１９を同方向に回動させ、該ロックオープンブラケット１９の押圧部１９ｂが被押圧アーム１７ｂを押圧して、ロック付勢ばねに抗してスライドロックプレート１７をアンロック方向に回動させることができる。
【００１７】
シート１１は、後部座席への出入りに際してシートバック１３を前傾させながら前方へスライドさせるウォークイン動作を行う際に、スライドする前のシート１１の位置を記憶させるスライドメモリ機構を有している。なお、以下のスライドメモリ機構関連の説明中に表れる時計方向及び反時計方向とは、図４から図９の側面図における回転方向を意味する。
【００１８】
アッパレール１５には、ループブラケット１８やロックオープンブラケット１９が支持される側面とは反対側の側面に位置させて、キャッチレバー２０が枢着されている。このキャッチレバー２０は、ループブラケット１８及びロックオープンブラケット１９と共通の回動軸１８ｘを中心として回動可能であり、該回動軸１８ｘと反対側の後端部に係合凹部２０ａを有している。さらに、キャッチレバー２０はトーションばね２０ｂを介してストッパレバー２２と結合されている。
【００１９】
ストッパレバー２２は、ループブラケット１８と同軸（回動軸１８ｘ）で一体に回動するように支持されている。アッパレール１５にはまた、キャッチレバー２０やストッパレバー２２が支持されているのと同じ側面に、ロックオープンレバー２１が回動軸２１ｘを介して枢着されている。ロックオープンレバー２１は、角孔１５ａを通して突出されたロックオープンブラケット１９の押圧部１９ｂに当接可能な押圧ピン２１ａと、ワイヤ係合アーム２１ｂとを有しており、トーションばね２１ｃによって時計方向に付勢されている。
【００２０】
ロアレール１６にはメモリラック２５（図３に一部のみ示す）が固定されている。メモリラック２５はロアレール１６と平行な長尺部材であり、その長手方向に沿って複数のメモリロック孔２５ａが形成されている。メモリラック２５はその長手方向へ相対移動可能にスライドピース２６を支持しており、該スライドピース２６内にメモリロックレバー２８が設けられている。メモリロックレバー２８は、スライドピース２６に設けられた上下方向を向く収納用凹部２６ａ内に、上下方向（メモリラック２５に対するスライドピース２６のスライド方向と直交する方向）へ移動可能かつスライドピース２６の長手方向に移動不能に支持されており、メモリロック突起２８ａをメモリロック孔２５ａに係合させるメモリ位置（図５、図７から図９）と、該係合を解除するメモリ解除位置（図６）とをとることができる。メモリロックレバー２８は、キャッチレバー２０の係合凹部２０ａの回動軌跡上に位置する係合突部２８ｂを有し、メモリ付勢ばね２７によってメモリ位置へ付勢されている。スライドピース２６は、その後端部付近にストッパ突起２６ｂを有する。図１０から図１３に示すように、ストッパ突起２６ｂは、スライドピース２６の本体部に対してアッパレール１５に接近する方向へ突出している。
【００２１】
アッパレール１５のうち、メモリラック２５に沿う側の側面には、スライドストッパ２９が固定されている。スライドストッパ２９は、アッパレール１５に固定される固定部２９ａと、固定部２９ａから側方（メモリラック２５への接近方向）に突出するストッパアーム（側方延出部）２９ｂを有する。ストッパアーム２９ｂは、スライドピース２６のストッパ突起２６ｂと同じ上下方向位置にあり、かつその先端部付近が、シートスライド方向においてストッパ突起２６ｂの延長上（前方）に位置する。
【００２２】
以上のスライドピース２６、メモリ付勢ばね２７、及びメモリロックレバー２８によりメモリユニットＭＵ１が構成されており、このメモリユニットＭＵ１にループブラケット１８、キャッチレバー２０、ストッパレバー２２、メモリラック２５、スライドストッパ２９を加えてスライドメモリ機構Ｕ１が構成されている。
【００２３】
アッパレール１５にはさらに、スライドストッパ２９の後方に位置させてベルトアンカーブラケット３５が固定されている。ベルトアンカーブラケット３５は、アッパレール１５に対して締結固定される固定部３５ａと、該固定部３５ａから上方に延出された立壁部３５ｂを有し、立壁部３５ｂに形成した支持ボルト３５ｃに対して、不図示のベルトアンカーが固定される。
【００２４】
ベルトアンカーブラケット３５にはさらに、固定部３５ａから前方に向け前方延長部３５ｄが延設され、この前方延長部３５ｄに中継支持部材３６が固定されている。中継支持部材３６は、前方延長部３５ｄに沿う固定部３６ａと、該固定部３６ａの前端部をメモリラック２５への接近方向へ略直角に曲げた折曲部３６ｂを有し、折曲部３６ｂに対して異物排除部３７が挿入支持されている。異物排除部３７は弾性変形可能な材質（例えばゴム）からなり、折曲部３６ｂよりも側方へ突出する部分が弾性変形可能になっている。メモリラック２５側への異物排除部３７の突出量は、スライドストッパ２９のストッパアーム２９ｂの突出量よりも小さく、異物排除部３７は、折曲部３６ｂの延出方向と略平行をなす自由状態（図１０、図１１）で、シートスライド方向におけるストッパ突起２６ｂの延長上には位置していない。つまり、異物排除部３７は、スライドピース２６に対してシートスライド方向に相対移動したときにストッパ突起２６ｂには当接せず、該ストッパ突起２６ｂによる移動規制を受けない。
【００２５】
シートバック１３にはウォークイン操作ハンドル３０（図１及び図２）が設けられており、該ウォークイン操作ハンドル３０と角度保持機構は、図示を省略したウォークインワイヤによって連係されている。また、シートバックフレームには牽引ワイヤ３１の一端が固着されており、牽引ワイヤ３１の他端はロックオープンレバー２１のワイヤ係合アーム２１ｂに接続している。この牽引ワイヤ３１は、シートバック１３が起立位置にあるときは弛緩しており、シートバック１３が前傾位置に移動すると緊張する。
【００２６】
以上の構成のシート装置の通常のシートスライド動作とウォークイン動作を説明する。図１の実線はシート１１の通常の着座状態を示している。このとき、シートバック１３は図１に示す起立位置（初期起立位置）にあり、シートスライド関係の機構は図５の状態にある。この状態では、スライドロックプレート１７はロック位置に保持され、ロック爪１７ａとスライドロック孔１６ａの係合によってシート１１のスライドが規制されている。またメモリロックレバー２８がメモリ付勢ばね２７の付勢力によってメモリ位置に保持されており、メモリロック突起２８ａとメモリロック孔２５ａの係合関係により、メモリラック２５に対するメモリユニットＭＵ１の移動が規制されている。また、シートバック１３の角度保持機構もロック状態にある。
【００２７】
着座者がシート１１の前後方向位置を任意に調整する通常のシートスライド動作は以下のように行われる。通常着座状態においてループハンドル１８ｂを上方に持ち上げると、ループブラケット１８が図５の位置から図６の位置へと時計方向に回動し、押圧部１８ａが被押圧部１９ａを押圧してロックオープンブラケット１９を時計方向に回動させる。ロックオープンブラケット１９の該回動によって押圧部１９ｂが被押圧アーム１７ｂを押圧し、ロック付勢ばねに抗してスライドロックプレート１７がアンロック位置へと回動する。これにより、ロアレール１６に対するアッパレール１５のスライド規制が解除される。アッパレール１５は図示しないスライド付勢ばねによって前方へ付勢されているので、スライド規制が解除されると、図８に示すようにロアレール１６に対して前方へスライドする。
【００２８】
また、ループブラケット１８が回動するとストッパレバー２２も一緒に時計方向に回動し、トーションばね２０ｂを介して結合するキャッチレバー２０が時計方向に回動する。すると、キャッチレバー２０の係合凹部２０ａが係合突部２８ｂに係合し、メモリロックレバー２８と一体となりながらメモリロックレバー２８を下方へ押し込み、メモリロックレバー２８をメモリ位置からメモリ解除位置へ移動させる。これにより、メモリラック２５に対するメモリユニットＭＵ１のスライド規制が解除される。したがって、図１に二点鎖線で示すようにシート１１（アッパレール１５）をロアレール１６に対して移動させると、キャッチレバー２０とメモリロックレバー２８が一体となっているので、メモリユニットＭＵ１もシート１１全体と共にスライドする。ループハンドル１８ｂから手を離すとスライドロックプレート１７がロック位置へ復帰回動してシート１１の移動が禁止され、同時にメモリロックレバー２８がメモリ位置に復帰する。
【００２９】
次にウォークイン動作について説明する。着座者がシート１１から降りた状態で、ウォークイン操作ハンドル３０を操作すると、ウォークインワイヤが牽引されて角度保持機構がアンロック状態となり、付勢手段の回転付勢力によりシートバック１３が前傾位置に移動する。すると、弛緩状態にあった牽引ワイヤ３１が緊張し、その結果、トーションばね２１ｃに抗してロックオープンレバー２１が図５の位置から図７の位置へと反時計方向に回動する。ロックオープンレバー２１が反時計方向に回動すると、押圧ピン２１ａが押圧部１９ｂを下方に押圧してロックオープンブラケット１９が時計方向に回動し、前述の通常スライド時と同様にロック付勢ばねに抗してスライドロックプレート１７がアンロック位置へ回動される。このとき、ロックオープンブラケット１９の被押圧部１９ａは押圧部１８ａから離間する（逃げる）関係であるのでループブラケット１８は回動せず、ストッパレバー２２及びキャッチレバー２０は回動されない。キャッチレバー２０が回動されなければ、メモリロックレバー２８はメモリ位置から移動されない。つまり、アッパレール１５を含むシート１１の上部構造はロアレール１６に対してスライド可能であるが、メモリユニットＭＵ１はメモリラック２５に対して相対移動不能な図７の状態になる。
【００３０】
アッパレール１５は図示しないスライド付勢ばねによって前方へ付勢されているので、ウォークイン操作の結果スライドロックプレート１７がアンロック位置へ回動されると、アッパレール１５は図８に示すようにロアレール１６に対して前方へスライドする。このときメモリユニットＭＵ１は、シート１１が移動を行う前の位置に留まって固定されている。これが図２に二点鎖線で示すウォークイン状態である。
【００３１】
ウォークイン状態から復帰させる際には、シート１１を後方にスライドさせる。すると、図９や図１０に示すようにスライドストッパ２９の規制アーム２９ｂがスライドピース２６のストッパ突起２６ｂの前面に当接し、シート１１はそれ以上後退できなくなる。スライドピース２６はウォークイン動作の開始当初から移動していないので、この後退規制位置が、記憶されたシート位置（スライドメモリ位置）である。ここでシートバック１３を前傾位置から引き起こすと、牽引ワイヤ３１が弛緩してロックオープンレバー２１が図５の通常着座状態の位置に復帰回動し、これに応じてロックオープンブラケット１９が被押圧アーム１７ｂに対する押圧状態を解除し、スライドロックプレート１７がロック位置に戻ってシート１１が固定される。
【００３２】
以上のスライドメモリ機構Ｕ１では、内部に異物が入り込んだ場合でも、この異物を押し出して、図９や図１０の後退規制位置までシート１１を確実に移動させることができる。図１１から図１３は異物排出の態様を示している。
【００３３】
上述のように、スライドストッパ２９の規制アーム２９ｂは、スライドピース２６のストッパ突起２６ｂに対して先端部付近が係合可能なように（ストッパ突起２６ｂの延長上に位置するように）、アッパレール１５の側面からの突出量が設定されている。一方、規制アーム２９ｂよりも後方に位置するベルトアンカーブラケット３５の異物排除部３７は、ストッパ突起２６ｂによっては移動規制されないように、規制アーム２９ｂよりも小さい突出量でアッパレール１５から突出されている。よって、メモリラック２５内に異物の無い状態では、図１０に示すように、異物排除部３７がストッパ突起２６ｂに当接することなく、規制アーム２９ｂをストッパ突起２６ｂに当接させる後退規制位置までシート１１を後退させることができる。
【００３４】
メモリラック２５内にコインのような異物４０が入り込んだ状態では、シート１１の後退動作に伴って、規制アーム２９ｂよりも後方に位置する異物排除部３７が該異物４０に接触し、これを後方に移動させる。シート１１が後退規制位置近くまで達すると、図１１に示すように異物４０がストッパ突起２６ｂに当て付く。ここで、シート１１の後退移動が継続されると、図１２、図１３に示すように異物排除部３７が弾性変形しながら異物４０を後方に押圧し、ストッパ突起２６ｂへの当接状態から異物４０を離脱させる。これにより、異物４０を挟み込むことなく、図１０に示す後退規制位置までシート１１を後退させることができる。
【００３５】
比較例として、異物排除部を備えない場合を図２０に示す。同図では、スライドストッパ２９′の規制アーム２９ｂ′の先端部と、スライドピース２６′のストッパ突起２６ｂ′の角部との間に異物４０が挟まれ、正規の後退規制位置の手前でシート１１の後退が規制されてしまっている。
【００３６】
異物排除部は、アッパレール１５と共に前後移動し、かつスライドメモリ位置への復帰動作に際してスライドストッパ２９の規制アーム２９ｂよりも早いタイミングでストッパ突起２６ｂの位置を通過するという条件を満たせば、その形成位置はベルトアンカーブラケット３５以外の部分とすることもできる。例えば、図１４から図１６に示す第２の実施形態では、スライドストッパ２９の規制アーム２９ｂ上に異物排除部３８が設けられている。異物排除部３８は貫通孔３８ａを有し、この貫通孔３８ａに規制アーム２９ｂを挿通させている。異物排除部３８は、規制アーム２９ｂ上において、ストッパ突起２６ｂに当接可能な先端部よりもアッパレール１５に近い基部側に固定されており、シートスライド方向においてストッパ突起２６ｂの延長上に位置していない。よって、異物排除部３８がストッパ突起２６ｂに当接してシート１１の後退移動を妨げることはない。そして、メモリラック２５内に入った異物４０に対しては、図１５及び図１６に示すように、異物排除部３８が規制アーム２９ｂよりも先に当接し、シート１１の後退移動力によって該異物４０をストッパ突起２６ｂの後方に押し出すことができる。
【００３７】
図１７から図１９に示す第３の実施形態では、異物排除部３９がスライドストッパ２９に一体形成されている。第２の実施形態の異物排除部３８と同様に、異物排除部３９は、ストッパ突起２６ｂへの当接部（規制アーム２９ｂの先端部）よりもアッパレール１５に近い位置に形成されており、異物排除部３９がストッパ突起２６ｂに当接してシート１１の後退移動を妨げることはない。メモリラック２５内に入った異物４０に対しては、図１８及び図１９に示すように、異物排除部３９によってストッパ突起２６ｂの後方に押し出すことができる。
【００３８】
以上、図示実施形態に基づき本発明を説明したが、本発明はこれらの実施形態に限定されるものではない。例えば、実施形態で示したベルトアンカーブラケットやスライドストッパとは別の部位に異物排除部を設けてもよい。
【符号の説明】
【００３９】
１１  シート
１２  シートクッション
１３  シートバック
１５  アッパレール
１６  ロアレール
１８  ループブラケット
１９  ロックオープンブラケット
２０  キャッチレバー
２１  ロックオープンレバー
２２  ストッパレバー
２５  メモリラック
２６  スライドピース
２６ｂ  ストッパ突起（移動規制部）
２８  メモリロックレバー
２９  スライドストッパ
２９ａ
２９ｂ  ストッパアーム（側方延出部、当接部）
３５  ベルトアンカーブラケット
３６  中継支持部材
３７  ３８  ３９  異物排除部
【図１】
0005545978.tif 000002
【図２】
0005545978.tif 000003
【図３】
0005545978.tif 000004
【図４】
0005545978.tif 000005
【図５】
0005545978.tif 000006
【図６】
0005545978.tif 000007
【図７】
0005545978.tif 000008
【図８】
0005545978.tif 000009
【図９】
0005545978.tif 000010
【図１０】
0005545978.tif 000011
【図１１】
0005545978.tif 000012
【図１２】
0005545978.tif 000013
【図１３】
0005545978.tif 000014
【図１４】
0005545978.tif 000015
【図１５】
0005545978.tif 000016
【図１６】
0005545978.tif 000017
【図１７】
0005545978.tif 000018
【図１８】
0005545978.tif 000019
【図１９】
0005545978.tif 000020
【図２０】
0005545978.tif 000021